(57)【要約】      （修正有）【課題】エアーマッサージするエアーバックの動作に同期させて施療子による機械的マッサージができて効果的なマッサージができる椅子式マッサージ機を提供する。【解決手段】椅子の背もたれ部２に、揉み、指圧、叩き等の機械的マッサージを行う施療子７を配置し、エアー給排気装置の間欠駆動により膨張収縮が繰り返されてエアーマッサージを行うエアーバック１０を椅子の座部３に配置し、上記施療子７が上下に駆動されると共に、上記施療子７を施療者の肩の上に位置させて肩上から施療を行っているときこの施療子７の上下の駆動に同期して座部３のエアーバック１０にエアーを給排気させてマッサージを行うようにした椅子式マッサージ機１である。【選択図】図１
2008068106.tif 000002
【特許請求の範囲】
【請求項１】
椅子の背もたれ部に、揉み、指圧、叩き等の機械的マッサージを行う施療子を配置し、エアー給排気装置の間欠駆動により膨張収縮が繰り返されてエアーマッサージを行うエアーバックを椅子の座部に配置し、上記施療子が上下に駆動されると共に、上記施療子を施療者の肩の上に位置させて肩上から施療を行っているときこの施療子の上下の駆動に同期して座部のエアーバックにエアーを給排気させてマッサージを行うようにしたことを特徴とする椅子式マッサージ機。
【発明の詳細な説明】
【技術分野】
【０００１】
本発明は、施療子にて揉み、指圧、叩き等の機械的マッサージする機能とエアーの給排気によって膨張・収縮するエアーバックによるエアマッサージする機能とを備えた椅子式マッサージ機に関するものである。
【背景技術】
【０００２】
近年、揉み、指圧、叩き等の機械的マッサージを行う施療子と、エアー給排気装置の間欠駆動により膨張収縮されてエアーマッサージを行うエアーバックとを１つの椅子に一緒に設けることにより、機械的マッサージの優越性とエアーマッサージの優越性を兼ね備えた椅子式マッサージ機が提供されている（例えば、特許文献１、特許文献２参照）。
【０００３】
かかる椅子式マッサージ機は、エアーバックに給排気することでエアーバックを膨張・収縮ささせて刺激の弱いエアーマッサージを行うことができ、施療子を駆動することで刺激の強い機械式マッサージができるようになっている。またエアーバックと施療子とを同時に駆動することでこれらを複合したマッサージができるようになっている。
【特許文献１】特開２００１−２４５９４３号公報
【特許文献２】特開２００１−２９３０５３号公報
【発明の開示】
【発明が解決しようとする課題】
【０００４】
ところが、上記従来例ではエアーバックと施療子とを同時に駆動することでこれらを複合したマッサージができるようになっているだけで、エアーバックの膨張・収縮の動作と施療子の駆動が同期するものでないためにいま一つ効果的なマッサージが行えるというものでもなかった。
【０００５】
本発明は叙述の点に鑑みてなされたものであって、エアーマッサージするエアーバックの動作に同期させて施療子による機械的マッサージができて効果的なマッサージができる椅子式マッサージ機を提供することを課題とする。
【課題を解決するための手段】
【０００６】
前記課題を解決するために本発明に係る椅子式マッサージ機は、椅子の背もたれ部に、揉み、指圧、叩き等の機械的マッサージを行う施療子を配置し、エアー給排気装置の間欠駆動により膨張収縮が繰り返されてエアーマッサージを行うエアーバックを椅子の座部に配置し、上記施療子が上下に駆動されると共に、上記施療子を施療者の肩の上に位置させて肩上から施療を行っているときこの施療子の上下の駆動に同期して座部のエアーバックにエアーを給排気させてマッサージを行うようにしたことを特徴とする。上記のように構成したことによりエアバックによるエアーマッサージと施療子による機械的マッサージを複合したマッサージができるのは勿論、エアーバックへのエアーの給気と同期して施療子による機械的マッサージを行うことができ、エアーバックへの給気と関連づけて効果的なマッサージができる。つまり、座部のエアーバックへの施療子と同期した給排気にても施療者の肩に施療子を押し付けることになるので効果的な肩指圧動作を行うことができる。また施療子のみで機械的に指圧を行うよりも細やかな強さ調節を行うことができる。
【発明の効果】
【０００７】
本発明は叙述の如くエアバックによるエアーマッサージと施療子による機械的マッサージを複合したマッサージができるのは勿論、エアーバックへのエアーの給気と同期して施療子による機械的マッサージを行うことができ、エアーバックへの給気と関連づけて効果的なマッサージができるという効果がある。
【発明を実施するための最良の形態】
【０００８】
以下、本発明を添付図面に示す実施形態に基いて説明する。
【０００９】
図１、図２は本発明の一実施形態を示している。この椅子式マッサージ機１は、図３に示すように背もたれ部２と、背もたれ部２の下方に設けられた座部３と、座部３の前側に設けられた脚部４と、座部３の左右両側に設けられた肘掛け部５とを備えている。背もたれ部２は、電動で作動するリクライニング機構により起倒自在となっており、図３の状態から背もたれ部２を後方に倒した状態で施療者Ｈが使用することができるようになっている。また背もたれ部２が後方に倒れるとき脚部４が図３の状態から上方に回転して施療者Ｈが膝を伸ばした状態で座ることができるようになっている。
【００１０】
背もたれ部２内には機械的なマッサージを行う施療機構部６が内装されており、施療機構部６の揉み玉のような施療子７が駆動されることにより揉み、指圧、叩き等のマッサージを行うことができるようになっている。施療機構部６は背もたれ部２を上下に移動することができるようになっており、施療機構部６を上下に移動することにより施療子７の位置を上下に移動できるようになっている。また施療子７自体は上下方向、幅方向及び強弱方向（前後方向）に作動するようになっており、施療子７の作動により揉み動作、指圧動作、叩き動作等の機械的なマッサージができるようになっている。
【００１１】
ここで、図１に示すように、座部３の上にエアーバック１０が設置されており、エアーバック１０の中心は施療者Ｈの尻部の上に位置しており、エアーバック１０が膨張した際に施療者Ｈを上に押し出すようになっている。背もたれ部２は施療者Ｈの肩の位置を検知する肩位置検知センサーを有し、肩を指圧するとき肩位置検知センサーにて検知した施療者Ｈの肩位置に応じて施療子７が上下に移動して施療者Ｈの肩の上部を抱え込む位置に自動的に移動するようになっている。肩を指圧するため施療子７が肩の上部を抱え込む位置に移動したとき施療子７が肩に触れる程度に施療子７の押し付け強さが設定される。施療子７を施療者Ｈの肩の上に位置させた状態で施療子７が上下に駆動されると共にこの施療子７の上下の駆動に同期してエアーバック１０に給排気されてエアーバック１０が膨張収縮されて指圧される。このときエアーバック１０により施療者Ｈの持ち上げにても施療子７を肩に押し付けるようになるので、施療子７だけで肩の指圧動作をするのに比べて指圧する強さを強くできると共に押し付ける強さの調節が行いやすくなる。
【００１２】
図２（ａ）に示すように施療子７が上下に駆動されて下降したり、下降状態で停止したり、上昇したり、上昇状態で停止したりする動作を周期的に繰り返すようになっており、施療子７を施療者Ｈの人体に押し付ける圧力は図２（ｂ）のように変化するようになっている。図２（ａ）でｔ１は施療子７を下降させる時間、ｔ２は施療子７を下降させて停止する時間、ｔ３は施療子７を上昇させる時間、ｔ４は施療子７を上昇させて停止する時間である。このように施療子７が一定の周期で駆動されるが、この施療子７の動作に同期して座部３のエアーバック１０にエアーが給排気されてエアーバック１０が膨張収縮させられる。図２（ｃ）に示す座エアーバック動作例１では施療子７の下降開始時や上昇の開始時に同期して膨張するようになっている。図２（ｄ）に示す座エアーバック動作例２では施療子７をの駆動開始後所定時間経てから膨張するようになっている（この例では下降して停止した時に同期して膨張するようになっている。）。このエアーバック１０の膨張は所定の施療期間の間は連続して動作しても、図２（ｅ）の座エアーバック動作例３のように断続動作してもよい。
【００１３】
図３、図４は本発明の他の実施形態の説明図である。本例では、背もたれ部２には空気の給排気により膨張収縮する複数のエアーバック８，９が左右対称の位置に配設されている。一対のエアーバック８は膨張したとき施療者Ｈの背部を両側から抱え込む位置に配置されており、また一対のエアーバック９はエアーバック８が膨張したとき施療者Ｈを背面から押し出す位置に設けてある。また座部３にもエアーの給排気により膨張収縮するエアーバック１０が施療者Ｈの尻部を押し出す位置に配置されている。また脚部４には足を挿通するための凹溝１１が設けられており、エアーの給排気により膨張収縮する複数のエアーバック１２，１３が凹溝１１の側壁に設けてある。上記エアーバック８，９，１０，１２，１３は図４に示すようなエアー給排気装置１４にて給排気され、膨張収縮するようになっている。エアー給排気装置１４は、制御回路１５、エアーポンプ１６、フィルタータンク１９、電磁式三方弁１７及び電磁式開閉弁１８にて構成されている。このエアー給排気装置１４の間欠駆動により間欠的にエアーが給気されたり排気されたりするのが繰り返され、エアーバック８，９，１０，１２，１３の膨張収縮が繰り返されてエアーマッサージがされる。
【図面の簡単な説明】
【００１４】
【図１】本発明の椅子式マッサージ機の一実施形態を示す斜視図である。
【図２】同上の動作を説明するタイムチャートである。
【図３】本発明の他の実施形態を示す斜視図である。
【図４】図３のエアーバックを駆動する構造を示す説明図である。
【符号の説明】
【００１５】
１  椅子式マッサージ機 
２  背もたれ部
３  座部
４  脚部
５  肘掛け部
６  施療機構部
７  施療子
１０  エアーバック
１４  エアー給排気装置
【図１】
2008068106.tif 000003
【図２】
2008068106.tif 000004
【図３】
2008068106.tif 000005
【図４】
2008068106.tif 000006